(57)【要約】      （修正有）【課題】ブラグカバーに関し、楽にコンセントからプラグを引き抜く事が出来、更にプラグを使わない場合にコンセントキャップにもなり得るプラグカバーを提供する。【解決手段】プラグの金属極を通す穴部２を有する矩形平面４のうち、連続する三辺又は四辺からほぼＬ字状にプラグを包み込むように曲げて形成されており、連続する三辺は長手方向真中から伸びる端部に、四辺は向かい合う二辺から伸びる各端部に指の入るプラグ引き抜き用リング部３を設ける。プラグを使用しないときは、絶縁性保持極５をコンセントプラグ穴に差し込んで、コンセントキャップとする。【選択図】図１
0003180870.tif 000002
【実用新案登録請求の範囲】
【請求項１】
プラグ（１１）の金属極（１０）を通す穴部（２）を有する矩形平面（４）のうち、連続する三辺又は四辺からほぼＬ字状にプラグ（１１）を包み込むように曲げて形成されており、連続する三辺は長手方向真中から伸びる端部に、四辺は向かい合う二辺から伸びる各端部に指の入るプラグ引き抜き用リング部（３）が設けられていることを特徴とするプラグカバー（１）。
【請求項２】
連続する三辺は長手方向真中以外の二辺のうちの一方の面上からほぼ垂直にコンセントプラグ穴（１４）に差し込む絶縁性保持極（５）が設けられている事を特徴とする請求項１に記載のプラグガバー（１）。
【請求項３】
四辺は矩形平面（４）の短手方向からの二辺のうちの一方の面上からほぼ垂直にコンセントプラグ穴（１４）に差し込む絶縁性保持極（５）が設けられ、更に長手方向の二面上に該絶縁性保持極（５）をコンセントプラグ穴（１４）から引き抜くためのローレット部（６）が設けられていることを特徴とする請求項１に記載のプラグカバー（１）。
【考案の詳細な説明】
【技術分野】
【０００１】  本考案は、ブラグカバーに関し、楽にコンセントからプラグを引き抜く事が出来、更にプラグを使わない場合にコンセントキャップにもなり得るプラグカバーに関する。
【背景技術】
【０００２】  従来、プラグをコンセントから引き抜く際は、プラグ本体を指で握って挟んで引き抜いていた。【０００３】  一方で使用していないコンセントの電極受け口を絶縁性からなるキャップ等で防塵、感電防止のために塞いでいた。
【先行技術文献】
【０００４】
【先行技術文献１】
特許出願公開２００４年３１２９８号
【考案の概要】
【０００５】  上記先行技術文献１に示された特許出願のプラグカバーでは、プラグの金属極から、絶縁体のカバーでプラグ本体をすっぽりと覆った上で金属極の反対側に指の入る輪を設けているため、プラグ自体を脱着する度に大変手間取るという欠点が有った。
【０００６】  もちろんプラグを使用しない場合、そのままプラグに装着したまま収納するか、いちいち取り外しておかなければならなかった。
【問題を解決するための手段】
【０００７】  上記課題を解決するために本考案は、プラグ（１１）の金属極（１０）を通す穴部（２）を有する矩形平面（４）のうち、連続する三辺又は四辺からほぼＬ字状にプラグ（１１）を包み込むように曲げて形成されており、連続する三辺は長手方向真中から伸びる端部に、四辺は向かい合う二辺から伸びる各端部に指の入るプラグ引き抜き用リング部（３）が設けられていることを特徴とする。
【０００８】  更に、連続する三辺は長手方向真中以外の二辺のうちの一方の面上からほぼ垂直にコンセントプラグ穴（１４）に差し込む絶縁性保持極（５）が設けられている事を特徴としている。
【０００９】  又、四辺は矩形平面（４）の短手方向からの二辺のうちの一方の面上からほぼ垂直にコンセントプラグ穴（１４）に差し込む絶縁性保持極（５）が設けられ、更に長手方向の二面上に該絶縁性保持極（５）をコンセントプラグ穴（１４）から引き抜くためのローレット部（６）が設けられていることも特徴としている。
本考案は以上のような構成からなるプラグカバーである。
【考案の効果】
【００１０】  本考案のプラグカバーは以上のような構成であるため、特に「握る」という事の困難な指の不自由な人やプラグコードを握って抜くという乱雑に扱う人でも、例えばプラグ引き抜き用リング部に人差し指や中指又は親指等を入れて引っ張るだけで簡単に楽にプラグをコンセントから抜く事が出来る優れたものになる。
【００１１】  又、考案のプラグカバーは、金属極を通す穴部を有する矩形平面と指の入るプラグ引き抜き用リング部の間の側面上からほぼ垂直にコンセントプラグ穴に差し込むための絶縁性の保持極が設けられているため、プラグを使用しない場合はプラグを本考案のプラグカバーにセットした状態でコンセントプラグ穴に該保持極を差し込めばコンセントプラグ穴の防塵、感電防止効果も得られ、更にはプラグを収納せずに、使用時に該保持極をコンセントから取り外してプラグを差し込む事の出来る節電効果も得られる優れたものとなる。
【００１２】  もちろん、該保持極でコンセントプラグ穴に保持している際に本考案のプラグカバーの側面に使用プラグの機器名等を書いたシール等を貼り付ければ何のプラグかすぐにわかるという副次的効果も得られる。
【図面の簡単な説明】
【００１３】
【図１】本考案のプラグカバーの一実施例を示す斜視図である。
【図２】本考案の図１のプラグカバーをプラグに装着した使用状態の一実施形態を示す使用斜視図である。
【図３】本考案のプラグカバーの別の一実施例を示す斜視図である。
【図４】本考案の図３のプラグカバーをプラグに装着した使用状態の一実施形態を示す使用斜視図である。
【考案を実施するための形態】
【００１４】  本考案におけるプラグカバーの大きさ、形状、デザイン、材質、製造方法等は特に限定されないが、通常は絶縁性合成樹脂成形で大量生産出来るものが好ましい。例えば絶縁性ポリプロピレン、ＡＢＳ樹脂等があげられる。
【００１５】  もちろんある程度の固さを有する難燃電気絶縁性シリコンゴム等も適宜用いられる。
【実施例】
【００１６】  以下、本考案の実施例を図１、図２、図３及び図４で説明するがこれによって本考案は何ら限定されるものではない。【００１７】  図１は、本考案のプラグカバー（１）のうち、プラグ（１１）の金属極（１０）を通す穴部（２）が２カ所を有する矩形平面（４）が有り、該矩形平面（４）のうち連続する三辺からほぼＬ字状にプラグ（１１）を包み込むように曲げて形成されており、連続する三辺の長手方向真中から伸びる端部に指の入るプラグ引き抜き用リング部（３）が設けられている。【００１８】  なお、この連続する三辺の長手方向真中以外のうちの一方の面上からほぼ垂直にコンセントプラグ穴（１４）に差し込む絶縁性保持極（５）が２本設けられている。【００１９】  図２は、図１のプラグカバー（１）をプラグ（１１）に装着し、コンセント（１３）に実際使用している様子を表している。図中の下のプラグカバー（１）はコンセントプラグ穴（１４）にプラグ（１１）を装着して金属極（１０）を差し込む様子を示し、上のプラグカバー（１）は、コンセントプラグ穴（１４）に絶縁性保持極（５）を差し込み、プラグ（１１）をプラグカバー（１）に装着したまま保持している様子を示している。この図からプラグ（１１）を使用しない場合は、図中の上のようにコンセントプラグ穴（１４）の防塵、感電防止用のコンセントキャップ機能となる事が理解出来る。【００２０】  図３は、本考案の図１のプラグカバー（１）のうち、プラグ（１１）の金属極（１０）を通す穴部（２）が２カ所有する矩形平面（４）が有り、該矩形平面（４）のうち、四辺からほぼＬ字状にプラグ（１１）を包み込むように曲げて形成されており、四辺のうち向かい合う二辺から伸びる各端部に指の入るプラグ引き抜き用リング部（３）が２カ所設けられている。【００２１】  なお、この四辺における短手方向からの二辺のうちの一方の面上からほぼ垂直にコンセントプラグ穴（１４）に差し込む絶縁性保持極（５）が２本設けられている。【００２２】  更に、長手方向の二面上に絶縁性保持極（５）をコンセントプラグ穴（１４）から引き抜くための指の引っかかり部としてのローレット部（６）が設けられている。これによって簡単にコンセントキャップとして使用していても抜き差しし易くなる。【００２３】  図４は、図３のプラグカバー（１）をプラグ（１１）に装着し、コンセント（１３）に実際使用している様子を表している。図中の下のプラグカバー（１）は、コンセントプラグ穴（１４）にプラグ（１１）を装着して金属極（１０）を差し込む様子を示し、図中の上のプラグカバー（１）は、コンセントプラグ穴（１４）に絶縁性保持極（５）を差し込み、プラグ（１１）をプラグカバー（１）に装着したまま保持している様子を示している。こちらも図２と同様に、プラグ（１１）を使用しない場合はコンセントプラグ穴（１４）の防塵、感電防止用のコンセントキャップ機能となる事がわかる。【００２４】  なお更に上下２ヶ所に設けられたローレット部（６）を指で挟んで引っ張れば、プラグ（１１）を簡単にコンセントプラグ穴（１４）から抜く事が出来るものとなる。【００２５】  シール貼り付け面（７）に使用中のプラグの機器名を記入したシールを貼り付ける事で他の���用機器との見分けが簡単につき、使い勝手の良いプラグカバー（１）となる。
【符号の説明】
【００２６】  １  プラグカバー    ２  穴部    ３  プラグ引き抜き用リング部
４  矩形平面    ５  絶縁性保持極    ６  ローレット部
７  シール貼り付け面    １０  金属極    １１  プラグ    １２  プラグコード
１３  コンセント    １４  コンセントプラグ穴
【図１】
0003180870.tif 000003
【図２】
0003180870.tif 000004
【図３】
0003180870.tif 000005
【図４】
0003180870.tif 000006